(57)【要約】【課題】本発明は、従来の洗濯用保護ネットＮが有していた問題点を解決し、少なくとも長袖や襟を有するシャツ、ブラウス等に対する専用性が高く、洗濯物の保護機能が良く、使い勝手がよく、しかも洗濯効果に好影響を及ぼす洗濯用保護ネットＮを提供すること。【解決手段】  洗濯物Ｗを間に挟持し且つ巻き上げ可能な挟持ネットシート体１と該挟持ネットシート体１を収納する収納ネット体４が一体に構成されていて、挟持ネットシート体１がベース・ネットシート体２とその両サイドに取り付けられた左右２枚のカバー・ネットシート体３Ｌ、３Ｒとからなり、しかも２枚のカバー・ネットシート体３Ｌ、３Ｒをベース・ネットシート体２上に折り重ねた際、カバー・ネットシート体３Ｌ、３Ｒの上端に形成された傾斜部３１同士が合成されて開放口３２を形成する洗濯用保護ネットＮ。【選択図】図１
2011212343.tif 000002
【特許請求の範囲】
【請求項１】
洗濯物を間に挟持し且つ巻き上げ可能な挟持ネットシート体と、該挟持ネットシート体を収納可能であり且つそれと一体となった収納ネット体とよりなる洗濯用保護ネットであって、挟持ネットシート体が、ベース・ネットシート体と、該ベース・ネットシート体の両サイドの縦方向端部にそれぞれ取り付けられた左右のカバー・ネットシート体とで構成されていることを特徴とする洗濯用保護ネット。
【請求項２】
ベース・ネットシート体と、該ベース・ネットシート体の両サイドの縦方向端部に該両縦方向端部を折り目として、互いに内側に向かって折り重ね自在に対称的に取り付けられた左右のカバー・ネットシート体とで挟持ネットシート体が形成され、ベース・ネットシート体の上端部には、外周面部と一対の側面部とで形成され開口部を有する立体状の収納ネット体が、開口部の下辺部近傍をもって取り付けられていて、ベース・ネットシート体上に左右のカバー・ネットシート体を折り重ねた状態でロール状に巻き上げた挟持ネットシート体を、収納ネット体にその開口部を通して収納可能に構成されていることを特徴とする洗濯用保護ネット。
【請求項３】
カバー・ネットシート体の上端が下方に向けて斜めに切り欠かれた傾斜部を有していて、ベース・ネットシート体に対し対称形に取り付けられた左右のカバー・ネットシート体がベース・ネットシート体上に互いに内側に向かって折り重ねられた際、それぞれの傾斜部の合成により開放口が形成されることを特徴とする請求項１、２記載の洗濯用保護ネット。
【請求項４】
傾斜部が下方に湾曲した曲線状に形成されていることを特徴とする請求項３記載の洗濯用保護ネット。
【請求項５】
ベース・ネットシート体と左右のカバー・ネットシート体が一体で形成されていて、ベース・ネットシート体と左右のカバー・ネットシート体の境界とすべき箇所に、カバー・ネットシート体がベース・ネットシート体に折り重なる方向に折り目が付型されていることを特徴とする請求項１、２記載の洗濯用保護ネット。
【請求項６】
境界とすべき箇所に適宜の間隔をもって２本の折り目を付型することにより、マチ部を形成したことを特徴とする請求項５記載の洗濯用保護ネット。  
【請求項７】
カバー・ネットシート体の幅が、ベース・ネットシート体の幅以下で、しかも、カバー・ネットシート体３をベース・ネットシート体２上に折り重ねた際、少なくとも左右のカバー・ネットシート体３同士が重なりあう範囲に形成されていることを特徴とする請求項１、２記載の洗濯用保護ネット。
【請求項８】
２枚のカバー・ネットシート体の幅が、ベース・ネットシート体上に左右２枚のカバー・ネットシート体を折り重ねた際、重なることがない範囲内に形成されていることを特徴とする請求項１、２記載の洗濯用保護ネット。
【請求項９】
ベース・ネットシート体と、ベース・ネットシート体上に折り重ねた左右２枚のカバー・ネットシート体の内、上側に位置するカバー・ネットシート体とを接結するための接結部材を有していることを特徴とする請求項１、２記載の洗濯用保護ネット。
【請求項１０】
ベース・ネットシート体の下端に、カバー・ネットシート体より突出した延端部が形成されていることを特徴とする請求項１、２記載の洗濯用保護ネット。
【請求項１１】
挟持ネットシート体が、ロール状に巻き上げられた後、平面状に復元可能な剛性を有していることを特徴とする請求項１、２記載の洗濯用保護ネット。
【発明の詳細な説明】
【技術分野】
【０００１】
本発明は、洗濯物が洗濯時に型くずれや損傷を受けないように保護するための洗濯用保護ネットに関し、詳しくは、洗濯用保護ネットに洗濯物をセットする際、迅速、確実にセットでき、しかも洗濯時に洗濯用保護ネット内でずれたり移動したりせず洗濯物を十分に保護し得る、特にワイシャツやブラウス等のような袖付きや襟付きのシャツ用に利便性を発揮する洗濯用保護ネットに関する。
【背景技術】
【０００２】
洗濯物が洗濯機の回転液流によって受ける、こすれ、ねじれ、引っ張り等から生ずる損傷や型くずれを防止し、加えて浮遊クズの付着を防止するために洗濯用保護ネットが用いられている。
この洗濯用保護ネットには平面状のものや立体状のものが開発され使用されている。
平面状のものは開口部を有した袋体となっていて、ストッキングやシャツなどの比較的薄手の物を対象としているし、立体状のものは、ブラジャー等のように立体形状を有するものや毛布、厚手の衣類などのように嵩高なものを対象としている。
【０００３】
例えば、平面上のものでファスナーで開閉する開口部を有しているものとしては特許文献１がある。これは長方形状の袋体内に洗濯物を内部に用意された押さえ用のヒモ、ベルト等でセットして、２つ折りにして洗濯する構造の洗濯ネットである。
また、特許文献２に示されるように、パンツやシャツ等を、収納ネットの開口部近傍に端部を固定されたネット状のシート体で挟み込み、これをロール状に巻き上げていき、立体形状の収納ネットに収納して洗濯するタイプの洗濯用具等がある。
【０００４】
この特許文献２の洗濯用具には、２枚のネット状のシート体が上下に振り分け可能となっていてこの間に洗濯物を挟み込み、これをロール状に巻き上げて収納ネットに収納して洗濯をするタイプものや、シート体を縦方向に２つ折りしてその間に洗濯物を挟み込みこれを巻き上げ、収納ネットに収納するタイプのものなどがある。
そして、これらの洗濯物を挟み込むタイプの洗濯用保護ネットには、シャツの襟を押さえつけすぎないようにシート体に襟用の開口部を設けたものもある。
【０００５】
このように、いろいろなタイプの洗濯用保護ネットが提案されているが、これらの従来型洗濯用保護ネットは、シャツやパンツ、その他多くの種類の洗濯物に併用可能な汎用型のものが主流である。
しかし、対応可能な衣類の種類が増えれば増えるほど、専用性が薄れ問題も発生する。
【０００６】
例えば特許文献２に示される洗濯物を挟み込むタイプのものでは、ほとんどの洗濯物に対応可能である。
パンツ（ズボン）のように長方形状の比較的安定した形の洗濯物には、それなりの機能を発揮するものの、ワイシャツやブラウスのように袖や襟を有していて複雑形状で比較的薄手の不安定な洗濯物に対しては、十分な機能を発揮するとは言い難い。
具体的には、長袖のたたみ込みや、その固定、保護性に問題がある。
【０００７】
これに対して専用性を有するタイプのものとして、特許文献３に示すようにシャツ形状に形成されたシャツ専用の洗濯用保護ネットもある。
しかし、このような専用性を有すると思われるタイプの洗濯用保護ネットであっても、大きさやタイプが異なる洗濯物に対して汎用性をもたせるためには、どうしてもその寸法を大きくする必要がある。
寸法が合わない場合、シャツが当洗濯用保護ネット内で移動して安定せず、結果的に皺やこすれ等の防止機能が発揮されない問題がある。
また、洗濯物の形によってはシャツ形状の洗濯用保護ネットに形状があわない場合も生ずる。
【０００８】
以上のように、従来の洗濯用保護ネットは、特にワイシャツやブラウスのように袖や襟を有する複雑形状で不安定な洗濯物に対し、洗濯用保護ネットとしての十分な機能を発揮しているとは言い難い問題があり、専用性の高い機能的な洗濯用保護ネットが要望されているのである。  
【先行技術文献】
【特許文献】
【０００９】
【特許文献１】特開２００６−１６６９７６号
【特許文献２】特許第４１４９７８６号
【特許文献３】特許第２６９６０９４号
【発明の概要】
【発明が解決しようとする課題】
【００１０】
本発明は以上のような諸事情を背景になされたものである。  
すなわち本発明の目的は、ワイシャツやブラウスのように袖や襟を有する複雑形状で薄く不安定な洗濯物を、洗濯時の回転液流による擦れや捻れ、引っ張り等から保護して損傷や型くずれを防ぐ機能を有し、しかも使い勝手が良く、専用性の高い洗濯用保護ネットを提供するところにある。
【課題を解決するための手段】
【００１１】
上記課題を解決するため、洗濯物Ｗを挟持ネットシート体にセットしてこれを筒状に巻き上げ、更に収納ネット体に収納して洗濯する２段構えタイプの洗濯用保護ネットにおいて、挟持ネットシート体の構造に効果的な変化をつけて使用勝手を良くした袖付きシャツ専用の洗濯用保護ネットＮを提供する本発明の完成に至った。
【００１２】
即ち、本発明は、（１）、洗濯物Ｗを間に挟持し且つ巻き上げ可能な挟持ネットシート体１と、該挟持ネットシート体１を収納可能であり且つそれと一体となった収納ネット体４とよりなる洗濯用保護ネットＮであって、挟持ネットシート体１が、ベース・ネットシート体２と、該ベース・ネットシート体２の両サイドの縦方向端部２１にそれぞれ取り付けられた左右のカバー・ネットシート体３Ｌ、３Ｒとで構成されている洗濯用保護ネットＮに存する。
【００１３】
即ち、本発明は、（２）、ベース・ネットシート体２と、該ベース・ネットシート体２の両サイドの縦方向端部２１に該両縦方向端部２１を折り目２２として、互いに内側に向かって折り重ね自在に対称的に取り付けられた左右のカバー・ネットシート体３Ｌ、３Ｒとで挟持ネットシート体１が形成され、ベース・ネットシート体２の上端部２３には、外周面部４２と一対の側面部４１とで形成され開口部４３を有する立体状の収納ネット体４が、開口部４３の下辺部近傍をもって取り付けられていて、ベース・ネットシート体２上に左右のカバー・ネットシート体３Ｌ、３Ｒを折り重ねた状態でロール状に巻き上げた挟持ネットシート体１を、収納ネット体４にその開口部４３を通して収納可能に構成されている洗濯用保護ネットＮに存する。
【００１４】
即ち、本発明は、（３）、カバー・ネットシート体３Ｌ、３Ｒの上端が下方に向けて斜めに切り欠かれた傾斜部３１を有していて、ベース・ネットシート体２に対し対称形に取り付けられた左右のカバー・ネットシート体３Ｌ、３Ｒがベース・ネットシート体２上に互いに内側に向かって折り重ねられた際、それぞれの傾斜部３１の合成により開放口３２が形成される上記（１）、（２）記載の洗濯用保護ネットＮに存する。
【００１５】
即ち、本発明は、（４）、傾斜部３１が下方に湾曲した曲線状に、又は下方に向かって折れ線状に形成されていることを特徴とする上記（３）記載の洗濯用保護ネットＮに存する。
【００１６】
即ち、本発明は、（５）、ベース・ネットシート体２と左右のカバー・ネットシート体３Ｌ、３Ｒが一体で形成されていて、ベース・ネットシート体２と左右のカバー・ネットシート体３Ｌ、３Ｒの境界とすべき箇所に、カバー・ネットシート体３Ｌ、３Ｒがベース・ネットシート体２に折り重なる方向に折り目２２が付型されている上記（１）、（２）記載の洗濯用保護ネットＮに存する。
【００１７】
即ち、本発明は、（６）、境界とすべき箇所に適宜の間隔をもって２本の折り目２２を付型することにより、マチ部３３を形成した上記（５）記載の洗濯用保護ネットＮに存する。  
【００１８】
即ち、本発明は、（７）、カバー・ネットシート体３Ｌ、３Ｒの幅が、ベース・ネットシート体２の幅以下で、しかも、カバー・ネットシート体３Ｌ、３Ｒをベース・ネットシート体２上に折り重ねた際、少なくとも左右のカバー・ネットシート体３Ｌ、３Ｒ同士が重なりあう範囲に形成されている上記（１）、（２）記載の洗濯用保護ネットＮに存する。
【００１９】
即ち、本発明は、（８）、２枚のカバー・ネットシート体３Ｌ、３Ｒの幅が、ベース・ネットシート体２上に左右２枚のカバー・ネットシート体３Ｌ、３Ｒを折り重ねた際、重なることがない範囲内に形成されている上記（１）、（２）記載の洗濯用保護ネットＮに存する。
【００２０】
即ち、本発明は、（９）、２枚のカバー・ネットシート体３Ｌ、３Ｒ同士を接結するための接結部材３４を有している上記（１）、（２）記載の洗濯用保護ネットＮに存する。
【００２１】
即ち、本発明は、（１０）、ベース・ネットシート体２の下端に、カバー・ネットシート体３Ｌ、３Ｒより突出した延端部２３が形成されている上記（１）、（２）記載の洗濯用保護ネットＮに存する。
【００２２】
即ち、本発明は、（１１）、挟持ネットシート体１が、ロール状に巻き上げられた後、平面状に復元可能な剛性を有している上記（１）、（２）記載の洗濯用保護ネットＮに存する。
【００２３】
なお、本発明の目的に沿ったものであれば上記（１）〜（１１）を適宜組み合わせた構成も採用可能である。
【発明の効果】
【００２４】
本発明の洗濯用保護ネットＮは、挟持ネットシート体１におけるベース・ネットシート体２の両サイドにカバー・ネットシート体３Ｌ、３Ｒが取り付けられているので、洗濯物Ｗをベース・ネットシート体２に載置した後、左右のカバー・ネットシート体３Ｌ、３Ｒで均等に押さえつけることができ、押さえ用のベルトの必要もなく洗濯物Ｗは挟持ネットシート体１内で確実に安定した状態に保たれ、挟持ネットシート体１をロール状に巻き上げる際や洗濯中に、挟持ネットシート体１内で洗濯物Ｗがずれたり移動したりしない。
【００２５】
そして、ロール状に巻き上げた挟持ネットシート体１は、そのまま、収納ネット体４内に収納して洗濯できるので、押さえ用ベルト等で結束する必要がなく、面倒がなく便利である。  
【００２６】
そして、カバー・ネットシート体３Ｌ、３Ｒの上端が下方に向けて斜めに切り欠かれた斜傾部を有しているので左右のカバー・ネットシート体３Ｌ、３Ｒをベース・ネットシート体２上に折り重ねた場合、それぞれのカバー・ネットシート体３Ｌ、３Ｒの傾斜部３１の合成により開放口３２が形成され、この開放口３２に洗濯物Ｗの襟部Ｗ２を位置させれば、左右のカバー・ネットシート体３Ｌ、３Ｒによる押圧を回避できる。
【００２７】
そして、左右のカバー・ネットシート体３Ｌ、３Ｒの上方に設けられた傾斜部３１を、その傾斜部３１を下方に湾曲した曲線状に、或いは下方に向かって折れ線状に形成することにより開放口３２の大きさ、形を変えることができ、目的の洗濯物Ｗの襟の形状に見合った洗濯用保護ネットＮを提供することができる。
【００２８】
そして、ベース・ネットシート体２と２枚のカバー・ネットシート体３Ｌ、３Ｒが１枚物として一体に形成されている場合には、ベース・ネットシート体２とカバー・ネットシート体３Ｌ、３Ｒを縫製する必要がなく、最適な箇所に折り目２２を付けて、この折り目２２を境としてベース・ネットシート体２とカバー・ネットシート体３Ｌ、３Ｒに区分けでき、容易に左右のカバー・ネットシート体３Ｌ、３Ｒを内側に折り重ねることができる挟持ネットシート体１を得ることができる。
【００２９】
そして、ベース・ネットシート体２と２枚のカバー・ネットシート体３Ｌ、３Ｒを１枚物で一体に形成し、ベース・ネットシート体２とカバー・ネットシート体３Ｌ、３Ｒの境目に、適宜の間隔をもった２本の折り目２２を付けた場合には、その間隔がマチ部となって厚手の洗濯物Ｗをセットする際に都合が良い。また、この１枚物に２本の折り目２２を付けて形成するマチ部は、挟持ネットシート体１を巻き上げる際にも適宜つぶれて巻き上げの障害にならない利点がある。  
【００３０】
そして、左右のカバー・ネットシート体３Ｌ、３Ｒをベース・ネットシート体２上に折り重ねた際、適宜の重なり部分を有する場合には、これを巻き上げる際や洗濯時に確実に洗濯物Ｗを固定、被覆でき問題が発生しない。
【００３１】
そして、左右のカバー・ネットシート体３Ｌ、３Ｒが、これをベース・ネットシート体２上に折り重ねた際、重なり部分が生じない幅に形成されている場合には、挟持ネットシート体１全体を薄くすることができ、巻き上げやすくなるなど、扱いに便利な利点がある。
また、カバー・ネットシート体３Ｌ、３Ｒの面積が小さくなり、その分、材料コストを下げることできる。
【００３２】
そして、２枚のカバー・ネットシート体３Ｌ、３Ｒ同士を接結するための接結部材を有している場合には、挟持ネットシート体１を巻き上げる際や洗濯時にカバー・ネットシート体３Ｌ、３Ｒがばらけることがなく、作業性も保護機能性も良くなる。
【００３３】
そして、ベース・ネットシート体２の下端に、カバー・ネットシート体３Ｌ、３Ｒより突出した延端部２３が形成されている場合には、この延端部２３をカバー・ネットシート体３Ｌ、３Ｒ上に折り曲げることにより、左右のカバー・ネットシート体３Ｌ、３Ｒがその下端部をしっかりと押さえられ、ロール状に巻き上げることが容易になる他、巻き上げて収納ネット体４に納めて後洗濯する際、延端部２３があたかも中空ロール芯となり、洗濯液の流路が確保され汚れが落ちやすくなる効果が得られる。
【００３４】
そして、挟持ネットシート体１が平面状に復元可能な剛性を有している場合には、ロール状に巻き上げられた後、洗濯時に挟持ネットシート体１全体が収納ネット体４の中で適度に緩み、その間を洗濯液が流回して汚れ落ち効果があがる利点がある。
また、洗濯物Ｗを載置する際、その剛性により挟持ネットシート体１を拡げやすくなり作業が容易になる利点がある。
【図面の簡単な説明】
【００３５】
【図１】図１は、ベース・ネットシート体とカバー・ネットシート体とからなる挟持ネットシート体と、収納ネット体とで構成される洗濯用保護ネットの実態模式図である。
【図２】図２は、本洗濯用保護ネットにおけるベース・ネットシート体上へのカバー・ネットシート体の折り重ね状態を示す実態模式図である。
【図３】図３は、傾斜部が下方に湾曲した洗濯用保護ネットの実態模式図である。
【図４】図４は、傾斜部が下方に向かって折れ線状に形成された洗濯用保護ネットの実態模式図である。
【図５】図５は、本洗濯用保護ネットの収納ネット体に係る断面模式図である。
【図６】図６は、挟持ネットシート体の下方から見た断面模式図である。
【図７】図７は、第１の実施の形態における洗濯用保護ネットに洗濯物Ｗをセットする際の流れを示す実態模式図である。
【図８】図８は、挟持ネットシート体に洗濯物をセットし、これを上方に巻き上げている実態模式図である。
【図９】図９は、挟持ネットシート体を巻き上げて収納ネット体内に収納した状態の部分実体模式図である。
【図１０】図１０は、２枚のカバー・ネットシート体を布製リボンの接結部材で接結した実態模式図である。
【図１１】図１１は、カバー・ネットシート体の幅が略ベース・ネットシート体の幅に形成された第１の実施の形態における洗濯用保護ネットの実体模式図である。
【図１２】図１２は、第２の実施の形態に示す、カバー・ネットシート体の幅がベース・ネットシート体の幅の２分の１以下の洗濯用保護ネットの実態模式図である。
【図１３】図１３は、第３の実施の形態に示す、ベース・ネットシート体とカバー・ネットシート体が一体に形成されている洗濯用保護ネットの実態模式図である。
【図１４】図１４は、マチ部を有する第３の実施の形態における洗濯用保護ネットの実態模式図である。
【図１５】図１５は、マチ部を有する第３の実施の形態におけるカバー・ネットシート体を折り返した実態模式図である。
【図１６】図１６は、ベース・ネットシート体の下方に延端部を有する第４の実施の形態における洗濯用保護ネットＮの実態模式図である。
【図１７】図１７は、折り重ねたカバー・ネットシート体の下端を延端部で押さえた状態の実態模式図である。
【発明を実施するための形態】
【００３６】
以下、必要に応じて図面を参照しつつ、本発明の好適な実施形態について詳細に説明する。
（第１の実施の形態）  
図１は、本発明の第１の実施の形態を示す実体模式図である。
本実施の形態における洗濯用保護ネットＮは、挟持ネットシート体１と収納ネット体４とで構成される。
挟持ネットシート体１は、略長方形状のベース・ネットシート体２と、その両サイドに取り付けられた左右２枚のカバー・ネットシート体３Ｌ、３Ｒとで形成される。
【００３７】
本実施の形態では、左右のカバー・ネットシート体３Ｌ、３Ｒの幅はそれぞれ、ベース・ネットシート体２の幅に比べて、適宜小さめに形成されている。
よって、図２に示すように、左右のカバー・ネットシート体３Ｌ、３Ｒを順次、折り重ねた際（矢印Ｙ１、Ｙ２）、左右２枚のカバー・ネットシート体３Ｌ、３Ｒは一部、重なり合う部分を有することとなる。
【００３８】
そして、図２において、２枚のカバー・ネットシート体３Ｌ、３Ｒは、それぞれの上端が下方に向けて斜めに切り欠かれた傾斜部３１を有していて、左右のカバー・ネットシート体３Ｌ、３Ｒをベース・ネットシート体２上に順次折り重ねた場合（矢印Ｙ１、Ｙ２）、それぞれのカバー・ネットシート体３Ｌ、３Ｒの傾斜部３１の合成により開放口３２が形成される。
本実施の形態では傾斜部３１は直線状となっているが、図３に示すように下方に湾曲した曲線状であったり、図４に示すように下方に向かって折れ線状に形成されることが可能である。
傾斜部３１として直線状、曲線状、折れ線状のいずれを選択するかで開放口３２の形状を決定できる。
【００３９】
そして、図５の断面模式図に示すようにベース・ネットシート体２の上端部２３は、収納ネット体４の開口部４３の下辺部４４に縫製により取り付けられている。本実施の形態では取り付けは縫製で行われているがタッチファスナーやスナップ等で脱着自在とすることも当然可能である。
開口部４３の下辺部４４、上辺部４５にはファスナー４６が取り付けられていて、巻き上げられた挟持ネットシート体１が収納ネット体４に収納された後、閉じられる。
【００４０】
次に、ベース・ネットシート体２と左右のカバー・ネットシート体３Ｌ、３Ｒは、図６の断面模式図に示すように、それぞれの縦方向端部２１を重ね合わせて縫製される。
また、周縁は、縁取り布１２（バイアステープ等）によって縁取りされる。
本実施の形態においては縁取り布１２には、薄手で通水性のあるトリコット編地を採用している。
トリコット編地とは経編機の１種であるトリコット機で編成される編地である。
本実施の形態では収納ネット体４の素材にもトリコット編地を採用している。
【００４１】
次に、本実施の形態における洗濯用保護ネットＮの使用例を図面にもとづき説明する。
図７の実体模式図に、その流れ（Ａ、Ｂ、Ｃ）を示すように、２枚のカバー・ネットシート体３Ｌ、３Ｒを観音開き状にそれぞれ開いてシャツの襟部Ｗ２を収納ネット体４側にしてベース・ネットシート体２上にセットする（Ａ）。
【００４２】
その後、左のカバー・ネットシート体３Ｌを袖Ｗ１とともに折り重ね（Ｂ）、次に右側のカバー・ネットシート体３Ｒを袖Ｗ１とともに折り重ねる。
この時、左右のカバー・ネットシート体３Ｌ、３Ｒのそれぞれの傾斜部３１の合成により開放口３２が形成され、この開放口３２に襟部Ｗ２が位置することとなり、左右のカバー・ネットシート体３Ｌ、３Ｒによる襟部Ｗ２への押圧を回避できる（Ｃ）。
そして、図８に示すように、この状態の挟持シート体を図でいう下方から上方に巻き上げ、収納ネット体４に収納する。
収納ネット体４に収納した状態を図９の部分実態模式図で示す。
【００４３】
また、本使用例では、右側のカバー・ネットシート体３Ｒ上の袖Ｗ１は左側のカバー・ネットシート体３と右側のカバー・ネットシート体３Ｒとの間に位置するようにセットしたが、両袖Ｗ１ともカバー・ネットシート体３Ｌ、３Ｒの下側にたたみ込んでセットすることも当然可能である。
【００４４】
本実施の形態における挟持ネットシート体１は、ナイロン糸やポリエステル糸等の熱可塑性合成繊維糸を用いて編成されたラッシェルネット地を採用している。
このラッシェルネット地は、加工する際に樹脂加工や熱セット等により適宜な剛性が付与されているので、回転する洗濯液中においてはその剛性による復元力により、時計のゼンマイが緩むごとく適宜緩んで、その間に洗濯液流が入りやすくなり、より洗濯効果をあげることができる。
【００４５】
本実施の形態における洗濯用保護ネットＮにおいては、図１０に示すようにカバー・ネットシート体３Ｌ、３Ｒ同士を接結する接結部材３４を取り付けることも可能である。
本例では、接結部材３４として布製リボンを使用している。
布製リボンは薄手で柔らかく、その存在が挟持シート体１の巻き上げの際の障害にならない利点がある。また接結部材３４としては、カバー・ネットシート体３Ｌ、３Ｒ同士を接結するタッチファスナー（図省略）を採用することも可能である。
【００４６】
本第１の実施の形態では、左右のカバー・ネットシート体３Ｌ、３Ｒの幅をそれぞれ、ベース・ネットシート体２の幅に比べて小さめに形成しているが、類例として、図１１に示すように左右のカバー・ネットシート体３Ｌ、３Ｒの幅をベース・ネットシート体２の幅と略同一にすることも当然可能である。
この類例のタイプによれば、洗濯物Ｗをより確実に挟持ネットシート体１内に保持することができ、厚物シャツなどにも有効な利点がある。
【００４７】
（第２の実施の形態）  
図１２に、第２の実施の形態における洗濯用保護ネットＮの実体模式図を示す。本実施の形態では、ベース・ネットシート体２の両サイドに取り付けられる２枚のカバー・ネットシート体３Ｌ、３Ｒの幅が、ベース・ネットシート体２の幅に比較して２分の１以下に形成されている。
他の構成要素は、第１の実施の形態の洗濯用保護ネットＮと同様である。
【００４８】
カバー・ネットシート体３Ｌ、３Ｒの幅については、略２分の１の幅か、或いはそれより小さめの幅かの選択が可能である。
いずれも第１の実施の形態の挟持ネットシート体１に比べてカバー・ネットシート体３Ｌ、３Ｒ同士が重なり合うことが無いので全体的に薄くなりかさばらない利点がある。
本実施の形態における洗濯用保護ネットＮの使用例については、第１の実施の形態とほぼ変わらない。接結部材３４を取り付けることも可能である。
【００４９】
（第３の実施の形態）
図１３に示すように第３の実施の形態においては、ベース・ネットシート体２とカバー・ネットシート体３Ｌ、３Ｒが一体に形成されている。
つまり１枚の連続した布帛で挟持ネットシート体１全体が形成されている。
そしてベース・ネットシート体２部分とカバー・ネットシート体３Ｌ、３Ｒ部分との境界とすべき箇所に、カバー・ネットシート体３Ｌ、３Ｒがベース・ネットシート体２に折り重なる方向に折り目２２が付型されている。
本実施の形態によれば、ベース・ネットシート体２とカバー・ネットシート体３Ｌ、３Ｒを縫製する必要がなく、折り目２２を付型するのみで、左右のカバー・ネットシート体３Ｌ、３Ｒを内側に容易に折り重ねることができる。
【００５０】
また、図１４に示すように、境界とすべき箇所に適宜の間隔をもって２本の折り目２２、２２を付型することにより、マチ部３３を形成することもできる。このマチ部の形成により厚手の洗濯物Ｗをセットする際にカバー・ネットシート体３Ｌ、３Ｒの折り返しが容易になる。
図１５にカバー・ネットシート体３Ｌ、３Ｒを折り返した実態模式図を示す。
通常、マチ部を形成して３次元状になると巻き上げが困難になるが、本例のマチ部３３は縫製によらないで折り目２２、２２を付型しただけであるので、押圧力がかかれば、適宜つぶれて問題がない。
第３の実施の形態のその他の点については第１、第２の実施の形態と変わらない。
【００５１】
（第４の実施の形態）
図１６に、第４の実施の形態における洗濯用保護ネットＮの実体模式図を示す。
本実施の形態では、ベース・ネットシート体２の下端部２４に下方に延びた延端部２３が設けられている。本実施の形態では、延端部２３はベース・ネットシート体２と一体に形成されているとともに、例えば合成樹脂を含浸させてカバー・ネットシート体３Ｌ、３Ｒ等の他の部材より適度な剛性を付与してある。
延端部２３についてはベース・ネットシート体２とは別体のものを縫製等により後付けすることも可能である。
【００５２】
図１７に、延端部２３を有する洗濯用保護ネットＮについて、その使用例を示す。
ベース・ネットシート体２上に洗濯物Ｗをセットする。その後、左右のカバー・ネットシート体３Ｌ、３Ｒを順次折り重ねる。
次に延端部２３をカバー・ネットシート体３Ｌ、３Ｒ上に折り重ね（矢印３）、カバー・ネットシート体３Ｌ、３Ｒの下端部を押さえた状態で上方にロール状に巻き上げて行く。
【００５３】
ここで、本実施の形態においては、延端部２３に剛性を付与してあるので巻き上げる際、中空パイプ状となって、あたかもロール芯の機能を発揮し巻き上げるのに便利である。
そして、洗濯液内においては、延端部２３の剛性による適度な復元力が発揮され、中空パイプ状となって洗濯液の流路が確保される効果がある。
【００５４】
延端部２３の復元力効果については、延端部２３と一体のベース・ネットシート体２の素材にラッシェルネット地を採用しているので、特段の合成樹脂による剛性付与を行わない場合でも、ベース・ネットシート体２用のラッシェルネット地を加工する際の樹脂加工や熱セット等により適宜な剛性を付与されていて程度の差はあるものの前記ロール芯のような機能を発揮する。
【００５５】
必要に応じて延端部２３を、ベース・ネットシート体２とは別体のものを取り付け、より強い剛性を付与することができる。
ここで、前記ラッシェルネット地とは経編機の１種であるラッシェル機により製造されるネット編地である。延端部２３は、第１、第２、第３のいずれの実施の形態においても形成可能である。
【００５６】
以上、本発明をその実施の形態を例に説明したが、本発明は要旨の変更のない限り、実施の形態のみに限定されるものではなく多様な変形例が可能である。
例えばベース・ネットシート体２の下端部２４の延端部２３は、合成樹脂を含浸させて適度な剛性を付与したもので示したが、必ずしも剛性を付与しなくてもよいことは云うまでもない。
例えば、開放口３２を形成するカバー・ネットシート体３Ｌ、３Ｒの上端部の傾斜部３１は、曲線と折れ線の組み合わせであっても良いし、左右のカバー・ネットシート体３Ｌ、３Ｒの幅が異なっていても構わない。
また、延端部２３の形状、寸法の変形等も当然可能である。
【００５７】
更に接結部材は、布製リボンに限らずカバー・ネットシート体３Ｌ、３Ｒ同士の内側にタッチファスナーが取り付けられるタイプのものであって良い。
また、挟持ネットシート体１の素材はラッシェルネット地に限らず不織布や織物であっても良いし、トリコットネット地であっても良い。
そして、本洗濯用保護ネットＮは無地のものであっても柄がプリントされていたり、色付けされたものであっても当然良い。
【産業上の利用可能性】
【００５８】
本発明の洗濯用保護ネットは、ベース・ネットシート体と左右のカバー・ネットシート体を備え、洗濯物Ｗをベース・ネットシート体に載置した後、左右のカバー・ネットシート体で容易に均等に押さえつけることができると言う従来の洗濯用保護ネットにない機能を有しているので洗濯用保護ネットの分野以外に、旅行用の収納具や家庭における衣料の整理具等としても利用可能である。
更には、シャツやブラウス等を本洗濯用保護ネットに納めて、そのまま販売したりプレゼントとするなど包装用としても利用できる。
【符号の説明】
【００５９】
Ｎ…洗濯用保護ネット
Ｗ…洗濯物
Ｗ１…袖部
Ｗ２…襟部
Ｙ１…左側カバー・ネットシート体を折り返す方向
Ｙ２…右側カバー・ネットシート体を折り返す方向
Ｙ３…延端部を折り返す方向
１…挟持ネットシート体
１２…縁取り布
２…ベース・ネットシート体
２１…縦方向端部
２２…折り目
２３…ベース・ネットシート体の下端部
２４…延端部
３Ｌ…左側のカバー・ネットシート体
３Ｒ…右側のカバー・ネットシート体
３１…傾斜部
３２…開放口
３３…マチ部
３４…接結部材
４…収納ネット体
４１…側面部
４２…外周面部
４３…開口部
４４…開口部の下辺部
４５…開口部の上辺部
４６…開口部のファスナー
【図１】
2011212343.tif 000003
【図２】
2011212343.tif 000004
【図３】
2011212343.tif 000005
【図４】
2011212343.tif 000006
【図５】
2011212343.tif 000007
【図６】
2011212343.tif 000008
【図７】
2011212343.tif 000009
【図８】
2011212343.tif 000010
【図９】
2011212343.tif 000011
【図１０】
2011212343.tif 000012
【図１１】
2011212343.tif 000013
【図１２】
2011212343.tif 000014
【図１３】
2011212343.tif 000015
【図１４】
2011212343.tif 000016
【図１５】
2011212343.tif 000017
【図１６】
2011212343.tif 000018
【図１７】
2011212343.tif 000019
【手続補正書】
【提出日】平成22年12月22日(2010.12.22)
【手続補正１】
【補正対象書類名】特許請求の範囲
【補正対象項目名】全文
【補正方法】変更
【補正の内容】
【特許請求の範囲】
【請求項１】
ベース・ネットシート体と、該ベース・ネットシート体の両サイドの縦方向端部に、該両縦方向端部を折り目として、互いに内側に向かって折り重ね自在に対称的に取り付けられた左右のカバー・ネットシート体とで挟持ネットシート体が形成され、ベース・ネットシート体の上端部には、外周面部と一対の側面部とで形成され開口部を有する立体状の収納ネット体が、開口部の下辺部近傍をもって取り付けられていて、ベース・ネットシート体上に左右のカバー・ネットシート体を折り重ねた状態でロール状に巻き上げた挟持ネットシート体を、収納ネット体にその開口部を通して収納可能に構成されている洗濯用保護ネットであって、
前記左右のカバー・ネットシート体の上端が下方に向けて斜めに切り欠かれた傾斜部を有していて、左右のカバー・ネットシート体が、ベース・ネットシート体上に互いに内側に向かって折り重ねられた際、それぞれの傾斜部の合成により開放口が形成され、
且つ、カバー・ネットシート体の幅が、ベース・ネットシート体の幅以下で、しかも、カバー・ネットシート体をベース・ネットシート体上に折り重ねた際、少なくとも左右のカバー・ネットシート体同士が重なりあう範囲に形成されていることを特徴とする洗濯用保護ネット。
【請求項２】
前記傾斜部が下方に湾曲した曲線状に形成されていることを特徴とする、請求項１記載の洗濯用保護ネット。
【請求項３】
前記ベース・ネットシート体と左右のカバー・ネットシート体が一体で形成されていて、ベース・ネットシート体と左右のカバー・ネットシート体の境界とすべき箇所に、カバー・ネットシート体がベース・ネットシート体に折り重なる方向に折り目が付型されていることを特徴とする、請求項１記載の洗濯用保護ネット。
【請求項４】
境界とすべき箇所に適宜の間隔をもって２本の折り目を付型することにより、マチ部を形成したことを特徴とする、請求項３記載の洗濯用保護ネット。
【請求項５】
ベース・ネットシート体と、ベース・ネットシート体上に折り重ねた左右２枚のカバー・ネットシート体の内、上側に位置するカバー・ネットシート体とを接結するための接結部材を有していることを特徴とする、請求項１記載の洗濯用保護ネット。
【請求項６】
ベース・ネットシート体の下端に、カバー・ネットシート体より突出した延端部が形成されていることを特徴とする、請求項１記載の洗濯用保護ネット。
【請求項７】
挟持ネットシート体が、ロール状に巻き上げられた後、平面状に復元可能な剛性を有していることを特徴とする、請求項１記載の洗濯用保護ネット。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】変更
【補正の内容】
【００１３】
即ち、本発明は、（１）、ベース・ネットシート体２と、該ベース・ネットシート体２の両サイドの縦方向端部２１に該両縦方向端部２１を折り目２２として、互いに内側に向かって折り重ね自在に対称的に取り付けられた左右のカバー・ネットシート体３Ｌ、３Ｒとで挟持ネットシート体１が形成され、ベース・ネットシート体２の上端部２３には、外周面部４２と一対の側面部４１とで形成され開口部４３を有する立体状の収納ネット体４が、開口部４３の下辺部近傍をもって取り付けられていて、ベース・ネットシート体２上に左右のカバー・ネットシート体３Ｌ、３Ｒを折り重ねた状態でロール状に巻き上げた挟持ネットシート体１を、収納ネット体４にその開口部４３を通して収納可能に構成されている洗濯用保護ネットＮであって、前記左右のカバー・ネットシート体３Ｌ、３Ｒの上端が下方に向けて斜めに切り欠かれた傾斜部３１を有していて、左右のカバー・ネットシート体３Ｌ、３Ｒが、ベース・ネットシート体２上に互いに内側に向かって折り重ねられた際、それぞれの傾斜部３１の合成により開放口３２が形成され、且つ、カバー・ネットシート体３Ｌ、３Ｒの幅が、ベース・ネットシート体２の幅以下で、しかも、カバー・ネットシート体３Ｌ、３Ｒをベース・ネットシート体２上に折り重ねた際、少なくとも左右のカバー・ネットシート体３Ｌ、３Ｒ同士が重なりあう範囲に形成されている洗濯用保護ネットＮに存する。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
即ち、本発明は、（２）、前記傾斜部３１が下方に湾曲した曲線状に、又は下方に向かって折れ線状に形成されている上記（１）記載の洗濯用保護ネットＮに存する。
【手続補正６】
【補正対象書類名】明細書
【補正対象項目名】００１６
【補正方法】変更
【補正の内容】
【００１６】
即ち、本発明は、（３）、前記ベース・ネットシート体２と左右のカバー・ネットシート体３Ｌ、３Ｒが一体で形成されていて、ベース・ネットシート体２と左右のカバー・ネットシート体３Ｌ、３Ｒの境界とすべき箇所に、カバー・ネットシート体３Ｌ、３Ｒがベース・ネットシート体２に折り重なる方向に折り目２２が付型されている上記（１）記載の洗濯用保護ネットＮに存する。
【手続補正７】
【補正対象書類名】明細書
【補正対象項目名】００１７
【補正方法】変更
【補正の内容】
【００１７】
即ち、本発明は、（４）、境界とすべき箇所に適宜の間隔をもって２本の折り目２２を付型することにより、マチ部３３を形成した上記（３）記載の洗濯用保護ネットＮに存する。  
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
即ち、本発明は、（５）、２枚のカバー・ネットシート体３Ｌ、３Ｒ同士を接結するための接結部材３４を有している上記（１）記載の洗濯用保護ネットＮに存する。
【手続補正１１】
【補正対象書類名】明細書
【補正対象項目名】００２１
【補正方法】変更
【補正の内容】
【００２１】
即ち、本発明は、（６）、ベース・ネットシート体２の下端に、カバー・ネットシート体３Ｌ、３Ｒより突出した延端部２３が形成されている上記（１）記載の洗濯用保護ネットＮに存する。
【手続補正１２】
【補正対象書類名】明細書
【補正対象項目名】００２２
【補正方法】変更
【補正の内容】
【００２２】
即ち、本発明は、（７）、挟持ネットシート体１が、ロール状に巻き上げられた後、平面状に復元可能な剛性を有している上記（１）記載の洗濯用保護ネットＮに存する。
【手続補正１３】
【補正対象書類名】明細書
【補正対象項目名】００２３
【補正方法】変更
【補正の内容】
【００２３】
なお、本発明の目的に沿ったものであれば上記（１）〜（７）を適宜組み合わせた構成も採用可能である。
【手続補正１４】
【補正対象書類名】明細書
【補正対象項目名】００５２
【補正方法】変更
【補正の内容】
【００５２】
図１７に、延端部２３を有する洗濯用保護ネットＮについて、その使用例を示す。
ベース・ネットシート体２上に洗濯物Ｗをセットする。その後、左右のカバー・ネットシート体３Ｌ、３Ｒを順次折り重ねる。
次に延端部２３をカバー・ネットシート体３Ｌ、３Ｒ上に折り重ね（矢印Ｙ３）、カバー・ネットシート体３Ｌ、３Ｒの下端部を押さえた状態で上方にロール状に巻き上げて行く。
【手続補正１５】
【補正対象書類名】明細書
【補正対象項目名】００５９
【補正方法】変更
【補正の内容】
【００５９】
Ｎ…洗濯用保護ネット
Ｗ…洗濯物
Ｗ１…袖部
Ｗ２…襟部
Ｙ１…左側カバー・ネットシート体を折り返す方向
Ｙ２…右側カバー・ネットシート体を折り返す方向
Ｙ３…延端部を折り返す方向
１…挟持ネットシート体
１２…縁取り布
２…ベース・ネットシート体
２１…縦方向端部
２２…折り目
２３…延端部
２４…ベース・ネットシート体の下端部（下端部）
３Ｌ…左側のカバー・ネットシート体
３Ｒ…右側のカバー・ネットシート体
３１…傾斜部
３２…開放口
３３…マチ部
３４…接結部材
４…収納ネット体
４１…側面部
４２…外周面部
４３…開口部
４４…開口部の下辺部
４５…開口部の上辺部
４６…開口部のファスナー